(57)【特許請求の範囲】
【請求項１】
用水路等に設置されているスクリーンバーに沿ってレーキを上下させて、当該スクリーンバーに捕捉された塵を掬い上げて除去する除塵機において、
前記レーキが下端部分に取付けられている２本の伸縮自在なアームと、
前記アームに取付けられた前記レーキを、塵の掬い上げのできる姿勢に保持した状態で吊り下げている２本の昇降用ロープと、
前記レーキを昇降させるために前記昇降用ロープの巻取り・繰り出しを行うロープ巻取り機構と、
前記アームを、その上端側を中心として前記スクリーンバーに対して前後に揺動させることにより、当該アームに取付けられている前記レーキの前記スクリーンバーからの距離を変更可能なアーム揺動機構を有し、
各昇降用ロープは、それぞれ前記レーキを左右両端で支持しており、
各アームは、それぞれ前記レーキを左右両端で支持しており、
各アームは、前記レーキが自在継ぎ手を介して取付けられている下端アーム部分と、この下端アーム部分を、左右への回転が可能な軸継ぎ手を介して、支持しているアーム本体部分とを備えており、
各アームの前記アーム本体部分の下端部分は、連結機構を介して、前後に相対移動が可能な状態で相互に連結されていることを特徴とする除塵機。
【請求項２】
用水路等に設置されているスクリーンバーに沿ってレーキを上下させて、当該スクリーンバーに捕捉された塵を掬い上げて除去する除塵機において、
前記レーキが下端部分に取付けられている伸縮自在なアームと、
前記アームに取付けられた前記レーキを、塵の掬い上げのできる姿勢に保持した状態で吊り下げている昇降用ロープと、
前記レーキを昇降させるために前記昇降用ロープの巻取り・繰り出しを行うロープ巻取り機構と、
前記アームを、その上端側を中心として前記スクリーンバーに対して前後に揺動させることにより、当該アームに取付けられている前記レーキの前記スクリーンバーからの距離を変更可能なアーム揺動機構を有し、
前記アーム揺動機構は、一方の端が前記アームに連結されているスイングアームと、このスイングアームの旋回中心を規定している固定支持部と、この旋回中心を挟み他方の端に連結され、当該スイングアームを揺動させるための駆動源とを備えており、
前記ロープ巻取り機構は、前記アームの上端側に取り付けたロープガイドローラと、このロープガイドローラを先端で支持していると共に、前記の固定支持部によって旋回可能に支持されているローラ支持部材と、前記ロープガイドローラを介して前記昇降用ロープの巻取り・繰り出しを行うワイヤードラムとを備えており、
前記スイングアームと前記ローラ支持部材とは、これらに対して作用している旋回力を、それぞれ他方の側の旋回力を抑制するように、相互に伝達可能な力伝達部材を介して連結されていることを特徴とする除塵機。
【請求項３】
請求項１において、
前記アーム揺動機構は、一方の端がアームに連結されているスイングアームと、このスイングアームの旋回中心を規定している固定支持部と、この旋回中心を挟み他方の端に連結され、当該スイングアームを揺動させるための駆動源とを備えており、
前記ロープ巻取り機構は、前記アームの上端側に取り付けたロープガイドローラと、このロープガイドローラを先端で支持していると共に、前記の固定支持部によって旋回可能に支持されているローラ支持部材と、前記ロープガイドローラを介して前記昇降用ロープの巻取り・繰り出しを行うワイヤードラムとを備えており、
前記スイングアームと前記ローラ支持部材とは、これらに対して作用している旋回力を、それぞれ他方の側の旋回力を抑制するように、相互に伝達可能な力伝達部材を介して連結されていることを特徴とする除塵機。
【請求項４】
請求項１、２または３において、
更に、前記レーキの姿勢を変更可能な姿勢変更機構を有し、
この姿勢変更機構は、前記レーキに連結された姿勢変更用ロープと、この姿勢変更用ロープを上下に移動させる移動機構とを備え、前記姿勢変更用ロープの上下に連動して、前記レーキの姿勢が、塵を掬い上げ可能な閉口姿勢と、塵を放出可能な開口姿勢、およびこれらの間の姿勢に切り換わるようになっていることを特徴とする除塵機。
【発明の詳細な説明】
【０００１】
【産業上の利用分野】
本発明は、水力発電所の発電機用水の取り入れ口等に配置されたスクリーンバーで捕捉された塵を掬い上げて除去する除塵機に関するものである。更に詳しくは、このような除塵機においてスクリーンバーの表面に沿って昇降するレーキの支持機構およびレーキの位置および姿勢を変更するための機構に関するものである。
【０００２】
【従来の技術】
水力発電所等の発電機用水の取り入れ口等には、そこから流入する水に含まれている塵を捕捉するために、スクリーンバーが配置されている。そして、このスクリーンバーに捕捉された塵を取り除くために、除塵機が使用されている。除塵機としては、固定配置されたもの、あるいは走行式のものがあり、いずれも、スクリーンバーの表面に沿って、レーキを昇降させて、そこに捕捉されている塵を掬い上げて除去している。レーキの支持機構としては、油圧シリンダ駆動式のアーム方式のもの、ロープによる支持方式のものが知られている。
【０００３】
【発明が解決しようとする課題】
しかしながら、従来の除塵機においては次のような問題点がある。
【０００４】
まず、レーキと、スクリーンバー表面との間隔を簡単に調整できない。このため、レーキの昇降を適切に行うことができない場合がある。また、レーキは、塵の掬い上げが可能な状態（本明細書では、塵の掬い上げが可能な姿勢を「閉口姿勢」といい、塵を放出可能な姿勢を「開口姿勢」というものとする。）のままで降下させると、スクリーンバー上の塵に降下するレーキが衝突等して、レーキの降下が速やかにできないといった弊害がある。さらには、スクリーンバー上に捕捉されている塵の量は、場所によって異なるので、レーキをスクリーンバー表面に平行な状態に保持していたのでは、塵の掬い上げを適切に行うことができない場合がある。
【０００５】
本発明の課題は、このような点に鑑みて、レーキとスクリーンとの間隔を簡単に調整可能な機構を備えた除塵機を提案することにある。
【０００６】
また、本発明の課題は、レーキの姿勢を、開口姿勢および閉口姿勢、並びにそれらの間の姿勢となるように容易に変更可能な機構を備えた除塵機を提案することにある。
【０００７】
さらに、本発明の課題は、レーキを、スクリーンバー表面に追従させて、前後、左右に移動可能に支持している機構を備えた除塵機を提案することにある。
【０００８】
さらにまた、本発明の課題は、外部から作用する力同志を利用して、これらを相互にバランスさせることにより、力学的に安定したレーキ支持機構を備えた除塵機を提案することにある。
【０００９】
【課題を解決するための手段、作用】
上記の課題を解決するために、本発明は、用水路等に設置されているスクリーンバーに沿ってレーキを上下させて、当該スクリーンバーに捕捉された塵を掬い上げて除去する除塵機において、伸縮自在なアームによってレーキを支持すると共に、このレーキを、開口姿勢の状態に保持した状態で、昇降用ロープによって吊り下げるようにしている。そして、昇降用ロープを、ロープ巻取り機構を用いて巻取り・繰り出すことにより、伸縮自在なアームを伸縮させながら、レーキの昇降を行うようにしている。さらに、アームを、その上端側を中心としてスクリーンバーに対して前後に揺動させることにより、当該アームに取付けられているレーキのスクリーンバーとの間隔を変更できるようにしてある。
【００１０】
このように構成した本発明の除塵機では、アームおよび昇降用ロープを併用してレーキの支持機構を構成してあるので、その構成部材であるアームを、アーム揺動機構により前後に揺動させることにより、簡単に、レーキを、スクリーンバー表面に接近させ、あるいは離れる方向に移動させることができる。
【００１１】
また、本発明は、このように伸縮自在なアームおよび昇降用ロープによりレーキを支持した構成の除塵機において、更に、レーキの姿勢を変更可能な姿勢変更機構を備えた構成を採用している。この姿勢変更機構は、レーキに連結された姿勢変更用ロープと、この姿勢変更用ロープを上下に移動させる移動機構とを備え、前記姿勢変更用ロープの上下に連動して、レーキの姿勢が、塵を掬い上げ可能な閉口姿勢と、塵を放出可能な開口姿勢、およびこれらの間の姿勢に切り換わるようになっている。
【００１２】
このように、姿勢変更用ロープを利用することにより、除塵機本体から離れた位置にあるレーキの姿勢を簡単に変更することができる。
【００１３】
さらに、本発明では、レーキを、左右２本の伸縮自在なアームおよび左右２本の昇降用ロープで支持すると共に、アームの下端側を次のようにした構成を採用している。すなわち、各アームを、レーキが自在継ぎ手を介して取付けられている下端アーム部分と、この下端アーム部分を、左右への回転が可能な軸継ぎ手を介して、支持しているアーム本体部分とから構成している。さらには、アーム本体部分の下端部分を、連結機構を介して、前後に相対移動が可能な状態で相互に連結している。
【００１４】
この構成によれば、レーキは、軸継ぎ手によって、スクリーンバーに対して左右に揺動可能である。また、レーキは、連結機構によって、スクリーンバーに対して左右いずれの側も前後に移動可能である。したがって、レーキは、その姿勢、位置が、スクリーンバーに対して、三次元的に前後左右に移動可能である。よって、スクリーンバー表面に追従して移動できるので、塵の掬い上げが常に確実に行われる。
【００１５】
一方の本発明の除塵機においては、アームの揺動機構の構成部材であるスイングアームと、ロープ巻取り機構の構成部材であるローラ支持アーム部材とを、これらに対して作用する旋回力を、それぞれ他方の側の旋回力を抑制するように、相互に伝達可能な力伝達部材を介して連結した構成としてある。
【００１６】
この構成を採用すれば、双方の部材に作用する力が、相互にバランスを取り合うことにあるので、力学的に安定したレーキ支持機構を構成できる。
【００１７】
【実施例】
以下に、図面を参照して、本発明の実施例を説明する。
【００１８】
（第１の実施例）
図１および図２には、本発明の第１の実施例の全体構成を示してある。本例の除塵機１は、水力発電所の発電機用水の取り入れ口２に配置されたスクリーンバー３に捕捉された塵を掬い上げて除去するためのものである。
【００１９】
本例の除塵機１は走行式であり、前後にそれぞれ一対の走行輪４１ａ、４１ｂｂおよび４２ａ、４２ｂが取付けられた除塵機車体４と、スクリーンバー３から塵を掬い上げるためのレーキ（熊手装置）５と、このレーキ５を支持して昇降等の動作をさせるための支持機構６から基本的に構成されている。車体４には、掬い上げた塵を収納するためのバケット４５が配置されている。この底の部分はコンベヤ４６により規定されており、ここに回収された塵を、コンベヤ４６によって外部に排出できるようになっている。
【００２０】
本例においては、この支持機構６は、一対の伸縮自在な左右アーム１１、１２と、同じく一対の左右ワイヤーロープ１３、１４（昇降用ロープ）とを備えている。左アーム１１は、その上端部分を形成しているアームガイド１１１と、このアームガイド１１１の内部に装着され、この下端から伸縮自在となっている上端アーム１１２と、このアームに対して下端から伸縮自在に装着されている中間アーム１１３と、このアームに対して下端から伸縮自在に装着されている先端アーム１１４から構成されており、この先端アーム１１４の先端には、自在継ぎ手１５を介して、レーキ５が連結されている。右アーム１２も、同様に、アームガイド１２１、上端アーム１２２、中間アーム１２３、先端アーム１２４から構成され、その先端には、自在継ぎ手１６を介して、レーキ５が連結されている。
【００２１】
左右のアーム１１、１２は、アーム揺動機構７を介して、除塵機車体４の側に支持されている。このアーム揺動機構７は、各アームのアームガイド１１１、１２１を支持しているスイングアーム７１、７２と、これらのスイングアームの旋回中心を規定している支点軸７３と、スイングアームの他方の端に連結された駆動シリンダ７５、７６とを備えている。支点軸７３は、車体４に形成されている支持壁４１の上端に固定支持されている。また、シリンダ７５、７６も、この支持壁４１の側面に形成した支持ブラケット４２の上に固定支持されている。さらに、スイングアーム７１、７２の上側の中程の位置と、アームガイドの上端部分とは、それぞれ、連結ロッド７７、７８によって連結されている。
【００２２】
一方、左右のワイヤロープ１３、１４は、その下端が、それぞれレーキ５に連結され、左右のアーム１１、１２の内側の位置を、これらと略平行に配置されている。各アームガイド１１１、１１２の下端部分の内側の位置には、それぞれ、ロープガイドローラ８１、８２が配置されており、これらのローラは、それぞれ、ローラガイドアーム８３、８４の先端に回転自在の状態で支持されている。各ワイヤロープ１３、１４は、これらのロープガイドローラ８１、８２に巻き掛けられて、車体４の側に案内され、車体の支持壁４１に設置したロープ巻取り機構８を構成しているワイヤードラム８５、８６に巻かれて、ここに連結された状態にある。
【００２３】
ロープ巻取り機構８は、ワイヤードラム８５、８６と、これらの回転駆動源である駆動モータ８７と、ここからの回転を減速してワイヤードラムに伝達するための減速機構８８から構成されている。
【００２４】
ここで、各ローラガイドアーム８３、８４は、車体４の支持壁４１の上端に支持されている支点軸７３を中心として旋回可能となっている。これらのローラガイドアーム８３、８４の後端側は、後述するように、バランス機構９（図４参照）によって支持されている。
【００２５】
また、本例においては、レーキ５は、これを開口姿勢および閉口姿勢に変更するためのワイヤーロープ２０（姿勢変更用ロープ）に連結されている。このワイヤーロープ２０は、図に示すように、左右のワイヤーロープ１３、１４の中心に位置しており、その下端がレーキ５の中心に連結されている。また、このワイヤーロープ２０は、上端側において、ロープガイドローラ２１に巻き掛けられて、車体４の側に案内され、上記の左右の巻取りドラム８５、８６の中間位置に同軸状に配置された巻取りドラム２２に巻き取られ、ここに連結されている。この巻取りドラム２２は、左右のドラム８５、８６と一体となって回転する。
【００２６】
ロープガイドローラ２１は、支持アーム２３の先端に回転自在の状態で支持されており、この支持アーム２３は、左右のロープガイドアーム８３、８４の旋回中心を規定している支点軸７３を中心に旋回可能の状態となっている。しかるに、この支持アーム２３の後端は、駆動シリンダ２４に連結されており、この駆動シリンダ２４によって、支点軸７３を中心として旋回可能である。支持アーム２３が旋回すると、それに伴って、先端側に支持されているロープガイドローラ２１が上下に揺動して、ここに巻き掛けれらているロープ２０を上下に移動させることになる。このロープ２０の上下動によって、レーキ５の姿勢が、開口姿勢から閉口姿勢、あるいはその逆に切り換わる。
【００２７】
次に、図３を参照して、本例の除塵機１におけるレーキ５の部分の構造を説明する。レーキ５は、各アーム１１、１２の下端に連結されたＬ型の支持アーム５１、５２によって、支持されている。これらの支持アーム５１、５２の先端には、支点軸５３を中心として、レーキを構成している湾曲した側面形状の本体枠５４が回転自在に支持されている。この本体枠５４の先端側の部分には、支点軸５５を中心として、レーキの鋤刃５６が回転自在に支持されている。ここで、本体枠５４は、図３（Ａ）に示す状態から、支点軸５３を中心として矢印Ａの方向には、それ以上回転しないように、回り止め機構（図示せず）が配置されている。同様に、鋤刃５６も、支点軸５５を中心として矢印Ａの方向にはそれ以上回転しないように回り止め機構（図示せず）が配置されている。
【００２８】
ここで、左右のロープ１３、１４および中央のロープ２０は、支持アーム５１、５２の間に支持されているロープガイドローラ５７の下側に巻き掛けられ、これによってレーキ先端側に案内されている。そして、レーキの鋤刃５６の支点軸５５の上方位置を迂回して、その下端部分５８に連結されてている。
【００２９】
この構成のレーキ５は、３本のロープ１３、１４、２０によって吊り下げられているので、これらの張力によって、レーキを構成している本体枠５４および鋤刃５６は、図３（Ａ）に示す状態に保持される。この状態では、鋤刃５６が、スクリーンバー３に対して、斜め上方に傾斜し、本体枠５４はスクリーンバー３に対してほぼ直角な姿勢となっている。この状態のレーキ５をスクリーンバー３に沿って上昇させれば、スクリーン３の表面から塵を掬い上げることができる。したがって、この状態がレーキ５の「閉口姿勢」である。
【００３０】
ここで、図３（Ｂ）に示すように、中央のロープ２０の下端部分は、左右のロープ１３、１４と同様にレーキ５に対して連結されていると共に、レーキ５の姿勢を変更可能なリンク機構３０にも連結されている。このリンク機構３０は連結金具３１を備え、この上端がロープ２０に連結されている。連結金具３１の下端は回転自在に第１のリンク３２に連結され、第１のリンク３２の下端は、回転自在に、第２のリンク３３に連結されている。この第２のリンク３３の他方の端は二股に分岐しており、分岐した一方の端は回転自在に、レーキの本体枠５４に連結され、他方の端は、第４のリンク３４の先端に回転自在に連結されている。この第４のリンク３４の他端は、レーキの鋤刃５６におけるロープ連結位置５８に対して回転自在に連結されている。
【００３１】
このように構成した本例においては、左右のロープ１３、１４をそのままに保持して、中央のロープ２０のみを引き上げると、リンク機構３０の働きにより、まず、鋤刃５６が、その支点軸５５を中心として矢印Ｂ方向に強制的に回転させれらる。鋤刃５６のＢ方向への回転量は、不図示の回り止め機構によって規制され、図３（Ｃ）で示すように、レーキの本体枠５４と平行な状態で止まる。この状態から、更にロープ２０が引き上げられると、リンク機構３０の働きにより、本体枠５４および鋤刃５６は、一体となって、本体枠先端の支点軸５３を中心として矢印Ｂ方向に旋回する。この結果、図３（Ｃ）において想像線で示すように、スクリーン３に対して略平行に立った姿勢となる。この姿勢のレーキ５を引き上げても、スクリーン上の塵を掬い上げることができない。また、図３（Ａ）に示す開口状態のレーキ５の上に溜まっている掬い上げた塵は、図３（Ｃ）に示す姿勢にすることにより放出される。したがって、この姿勢がレーキの「開口姿勢」である。
【００３２】
次に、図４を参照して、バランス機構９の構造を説明する。バランス機構は左右に形成されているが、同一構成であるので、アーム１２の側のバランス機構を説明する。本例のバランス機構９は、車体４の支持壁４１の側面に取り付けたブラケット９１によって回転自在に支持されているガイドローラ９２と、これの下側を通して巻き掛けられた連結部材９３とを備えている。連結部材９３の一方の端は、連結金具９４によって、スイングアーム７２の下面に連結されている。連結部材９３の他方の端は、連結金具９５によって、支持アーム８４の下面に連結されている。これらの連結位置は、支点軸７３よりも後方側とされている。
【００３３】
各アーム７２、８４は、その先端側に下方に向かう力が常時作用している。したがって、支点軸７３を中心として矢印Ｃの方向に旋回する旋回力が作用している。本例では、バランス機構９によって、支点軸７３よりも後方側の位置において、一方のアームの旋回力によって、他方のアームの旋回力を抑制する方向に力を作用させている。したがって、相互の旋回力により、相互のアームに作用する力の平衡状態が形成される。よって、力学的に安定した構成を実現できる。なお、バランス機構９を、他のリンク機構等によって構成して、本例と同様な効果を得るようにすることもできる。
【００３４】
このように構成した本例の走行式除塵機１の動作を説明する。
【００３５】
除塵機１は、初期状態において、３本のロープ１３、１４、２０を巻き取ることにより、アーム１１、１２の先端のレーキ５を引き上げた状態としてある。この状態で、除塵機１をクリーンバー３の所定の位置まで移動して停止させ、しかる後に、ロープ１３、１４、２０を繰り出す。これにより、アーム１１、１２が伸びて、その先端のレーキ５がスクリーンバー３に沿って降下する。ここで、スクリーンバー３と、レーキ５の間隔を調整したい場合には、スイングアーム７１、７２を所定の角度だけ旋回すればよい。この動作に応じて、アーム１１、１２が揺動して、その先端に連結されているレーキ５が、スクリーンバー３に対して接近、あるいは離れる方向に移動する。この状態を、図２において想像線で示してある。したがって、本例では、レーキ５を任意の位置で昇降させることができ、また、任意の開口幅で、塵を掬うことができる。
【００３６】
また、中央のロープ２０を支持アーム２３によって引き上げると、図３において説明したように、レーキ５を、閉口姿勢から開口姿勢に切り換えることができる。ロープ２０の引上げ量を調整することにより、これらの姿勢の間の姿勢にもすることができる。したがって、図２において想像線Ｄで示すように、塵を掬い上げたレーキ５を上端まで移動した後、閉口姿勢に切り換えることにより、レーキ５に捕捉されている塵を、簡単に、バケット４５内に放出することができる。また、レーキ５の昇降が円滑に出来ない場合等においても、開口姿勢から閉口姿勢に切り換えることにより、レーキの昇降を速やかに行うことができる。
【００３７】
（第２の実施例）
図５、６、７には、本発明の第２の実施例を示してある。本例の全体的な構造は、上記の第１の実施例と同一であるが、アーム１１、１２とレーキ５との連結部分に工夫を凝らし、レーキ５を、スクリーンバー表面に対して、三次元的に前後、左右に姿勢を変更できるようにした点が異なっている。したがって、以下の説明では、この異なる部分の構造のみを説明し、それ以外の部分の説明は省略する。
【００３８】
アーム１１、１２の下端においてレーキ５を支持している支持アーム５１、５２は、調芯軸受２０１、２０２を介して、レーキ５に連結されている。また、これらの支持アーム５１、５２は、中間の位置において、２分割されて、レーキ側の先端アーム片５１１、５２１と、アーム側のアーム片５１２、５２２から構成されている。先端アーム片５１１とアーム片５１２は、ピン継ぎ手５１３を介して連結され、先端アーム片５１１は、このピン継ぎ手５１３を中心として、左右に旋回可能となっている。同様に、先端アーム片５２１とアーム片５２２もピン継ぎ手５２３を介して連結され、先端アーム片５２１は左右に旋回可能となっている。したがって、レーキ５は、左右に揺動可能な状態となっている。
【００３９】
また、左右のアーム片５１２、５２２は、相互に連結機構２１０を介して連結されている。この連結機構２１０は、各アーム片５１２、５２２の裏面に取付けたブラケット２１１、２１２によって支持されている第１の軸２１３、２１４と、これらの軸の先端に取り付けた連結用ブラケット２１５、２１６と、これらの連結用ブラケット２１５、２１６を相互に連結している連結軸２１７を有している。ここで、連結用ブラケット２１５、２１６は、第１の軸２１３、２１４に対して、それらの軸線に直交する方向に延びており、また、これらの第１の軸に対して回転自在に連結されている。これらのブラケット２１５、２１６を連結している連結軸２１７は、第１の軸２１３、２１４と平行に配置されていると共に、両端が回転自在の状態でブラケット２１５、２１６に支持されている。
【００４０】
このように構成した連結機構２１０によって連結されている左右のアーム片５１２、５２２は、スクリーンバー３に対して相対的に前後に移動可能となっている。
【００４１】
したがって、本例においては、レーキ５は、スクリーンバー３の表面に対して、前後および左右に移動可能な状態でアーム１１、１２によって支持されている。したがって、レーキ５を、スクリーンバーの表面に対して正確に平行な状態に位置決めできなくても（例えば、レーキ５の左右におけるスクリーンバー表面に対する開口幅が異なっていても）、ロープによって支持されているレーキ自体の自重や塵の重量により、レーキ５は自動的に、スクリーンバーの表面に追従するように移動して、正しく位置合わせされた状態にもなるし、スクリーンバーに対して斜めに作動させることもできる。
【００４２】
【発明の効果】
以上説明したように、本発明の除塵機は、伸縮自在なアームによってレーキを支持すると共に、このレーキを、閉口姿勢の状態に保持した状態で、昇降用ロープによって吊り下げるようにしている。また、昇降用ロープを、ロープ巻取り機構を用いて巻取り・繰り出すことにより、伸縮自在なアームを伸縮させながら、レーキの昇降を行うようにしている。さらに、アームを、その上端側を中心としてスクリーンバーに対して前後に揺動させることにより、当該アームに取付けられているレーキのスクリーンからの間隔を変更するようにしている。したがって、本発明によれば、アームおよび昇降用ロープを併用してレーキの支持機構を構成してあるので、レーキを深い場所に対しても簡単に降下させて塵の掬い上げを行うことができ、また、その構成部材であるアームを前後に揺動させることにより、簡単に、レーキのスクリーンバー表面に対する間隔を調整することができる。
【００４３】
また、本発明は、このように伸縮自在なアームおよび昇降用ロープによりレーキを支持した構成の除塵機において、更に、レーキに連結された姿勢変更用ロープと、この姿勢変更用ロープを上下に移動させる移動機構とを備え、姿勢変更用ロープの上下に連動して、レーキの姿勢を、塵を掬い上げ可能な閉口姿勢と、塵を放出可能な開口姿勢、およびこれらの間の姿勢に切り換えることができるようにしてある。したがって、レーキにより掬い上げた塵の放出、レーキの昇降動作等を円滑に行うことができる。
【００４４】
さらに、本発明では、レーキを、スクリーンバー表面に対して、三次元的に前後および左右に移動可能に支持した構成を採用している。したがって、レーキを正確にスクリーンバーに位置合わせしなくとも、レーキを自動的にスクリーン表面に追従した姿勢にすることができ、塵の掬い上げ動作等を常に確実に行うことが可能になる。
【００４５】
さらにまた、本発明の除塵機においては、アームの揺動機構の構成部材であるスイングアームと、ロープ巻取り機構の構成部材であるローラ支持アーム部材とを、これらに対して作用する旋回力を、それぞれ他方の側の旋回力を抑制するように、相互に伝達可能な力伝達部材を介して連結した構成としてある。したがって、双方の部材に作用する力が、相互にバランスを取り合うことにあるので、力学的に安定した機構を構成することができる。
【図面の簡単な説明】
【図１】本発明の第１の実施例である走行式除塵機の構成を示す概略正面図である。
【図２】図１の除塵機の概略側面図である。
【図３】図１の除塵機のレーキの姿勢変更のための機構を示す図であり、（Ａ）はレーキが開口姿勢にある状態を示す説明図、（Ｂ）はレーキの姿勢を変更するためのリンク機構の部分を示す説明図、（Ｃ）はレーキが閉口姿勢に切り換わる状態を示す説明図である。
【図４】図１の除塵機のバランス機構を示す概略側面図である。
【図５】本発明の第２の実施例である除塵機におけるアームとレーキの連結部分を示す部分側面図である。
【図６】図５の矢印Ｚの方向から見た矢視図であり、中心を境にして、一方の側にレーキ開口姿勢の状態を示し、他方の側にレーキ閉口姿勢の状態を示してある。
【図７】図６に示すレーキが移動した状態を示すための説明図である。
【符号の説明】
１・・・除塵機
３・・・スクリーンバー
４・・・車体
５・・・レーキ
６・・・支持機構
７・・・アーム揺動機構
１１、１２・・・昇降用ロープ
１３、１４・・・伸縮自在なアーム
２０・・・姿勢変更用ロープ
【図１】
0003550425.tif 000002
【図２】
0003550425.tif 000003
【図３】
0003550425.tif 000004
【図４】
0003550425.tif 000005
【図５】
0003550425.tif 000006
【図６】
0003550425.tif 000007
【図７】
0003550425.tif 000008